(57)【要約】【課題】入切の設定温度の確認を支障なく行える温度制御装置を提供する。【解決手段】デジタルサーモ１は、温度センサにより検出された温度と設定値とに基づいて、所定の接点出力を発生する。表示器３と、入切の設定温度を含む複数の設定値を設定操作するための変更ボタン８、９と、この変更ボタンによる設定対象を選択するための選択ボタン７と、変更ボタンにより設定された値を設定値として決定するための決定ボタン１０と、これら各ボタンの操作に基づいて複数の設定値を設定し、接点出力と表示器を制御するマイクロコンピュータを備える。マイクロコンピュータは、常には温度センサにより検出された現在温度を表示器に表示しており、選択ボタンが操作された場合は、当該選択ボタンにより選択された設定対象の設定値を表示器に表示すると共に、決定ボタン１０が操作された場合は、入切の設定温度を表示器にて表示した後、現在温度の表示に復帰する。【選択図】図１
2006084092.tif 000002
【特許請求の範囲】
【請求項１】
温度センサにより検出された温度と設定値とに基づいて、所定の接点出力を発生する温度制御装置において、
表示器と、
入切の設定温度を含む複数の設定値を設定操作するための設定操作手段と、
該設定操作手段による設定対象を選択するための選択操作手段と、
前記設定操作手段により設定された値を設定値として決定するための決定操作手段と、
これら各操作手段への操作に基づいて前記複数の設定値を設定し、前記接点出力と前記表示器を制御する制御手段とを備え、
該制御手段は、常には前記温度センサにより検出された現在温度を前記表示器に表示しており、前記選択操作手段が操作された場合は、当該選択操作手段により選択された前記設定対象の設定値を前記表示器に表示すると共に、前記決定操作手段が操作された場合は、前記入切の設定温度を前記表示器にて表示した後、前記現在温度の表示に復帰することを特徴とする温度制御装置。
【請求項２】
前記制御手段は、前記現在温度の表示に復帰する前に、前記入切の設定温度を前記表示器に点滅表示することを特徴とする請求項１の温度制御装置。
【発明の詳細な説明】
【技術分野】
【０００１】
本発明は、例えば冷凍或いは冷蔵設備等で使用される温度制御装置に関するものである。
【背景技術】
【０００２】
従来より例えばプレハブ冷蔵庫等では、冷凍機の入（ＯＮ）／切（ＯＦＦ）を行って庫内温度を制御を行うための温度制御装置が用いられている（例えば、特許文献１参照）。この温度制御装置は温度センサと例えば７セグメントＬＥＤの表示器を有しており、温度センサで検出した庫内温度を表示器に表示すると共に、温度センサが検出する現在温度と入／切の所定の設定温度とに基づいて、冷凍機の入／切の接点出力を発生する。
【０００３】
また、温度制御装置には何らかの故障で庫内温度が異常高温或いは異常低温となった場合に警報を発生させるための機能も設けられており、庫内温度が所定の高温警報温度まで上昇した場合、或いは、低温警報温度まで低下した場合に警報発生のための接点出力を発生するものであった。
【０００４】
また、上述のような冷凍機の入切の接点温度や高温警報温度、低温警報温度などの各設定値は、設定操作用のボタンによって変更設定される。この場合、通常は選択ボタンにより設定対象（入設定温度、切設定温度、高温警報温度或いは低温警報温度の何れか）を選択する。選択された設定値は温度センサが検出する現在温度に代わって表示器に切換表示されるので、この状態で変更ボタンを操作し、設定値を変更する。そして、決定ボタンを操作することで、当該設定値が決定されるものであった。
【特許文献１】特開平５−９９５５７号公報
【発明の開示】
【発明が解決しようとする課題】
【０００５】
ところで、このようなプレハブ冷蔵庫において使用者が最も注意しなければならない設定値は前述した冷凍機の入切の設定温度である。しかしながら、従来では前述した選択ボタンで入切の設定温度を選択しなければ、当該入切の設定温度が表示器に表示されなかったため、設定温度の確認が極めて面倒なものとなっており、最悪の場合には誤った設定が放置されて庫内物品に重大な損害を来す危険性もあった。
【０００６】
本発明は、係る従来の技術的課題を解決するために成されたものであり、入切の設定温度の確認を支障なく行える温度制御装置を提供するものである。
【課題を解決するための手段】
【０００７】
本発明の温度制御装置は、温度センサにより検出された温度と設定値とに基づいて、所定の接点出力を発生するものであって、表示器と、入切の設定温度を含む複数の設定値を設定操作するための設定操作手段と、この設定操作手段による設定対象を選択するための選択操作手段と、設定操作手段により設定された値を設定値として決定するための決定操作手段と、これら各操作手段への操作に基づいて複数の設定値を設定し、接点出力と表示器を制御する制御手段とを備え、この制御手段は、常には温度センサにより検出された現在温度を表示器に表示しており、選択操作手段が操作された場合は、当該選択操作手段により選択された設定対象の設定値を表示器に表示すると共に、決定操作手段が操作された場合は、入切の設定温度を表示器にて表示した後、現在温度の表示に復帰することを特徴とする。
【０００８】
請求項２の発明の温度制御装置は、上記発明において制御手段は、現在温度の表示に復帰する前に、入切の設定温度を表示器に点滅表示することを特徴とする。
【発明の効果】
【０００９】
本発明によれば、温度センサにより検出された温度と設定値とに基づいて、所定の接点出力を発生する温度制御装置において、表示器と、入切の設定温度を含む複数の設定値を設定操作するための設定操作手段と、この設定操作手段による設定対象を選択するための選択操作手段と、設定操作手段により設定された値を設定値として決定するための決定操作手段と、これら各操作手段への操作に基づいて複数の設定値を設定し、接点出力と表示器を制御する制御手段とを備え、この制御手段は、常には温度センサにより検出された現在温度を表示器に表示しており、選択操作手段が操作された場合は、当該選択操作手段により選択された設定対象の設定値を表示器に表示すると共に、決定操作手段が操作された場合は、入切の設定温度を表示器にて表示した後、現在温度の表示に復帰するようにしたので、各設定値の設定を行う都度、表示器の表示が現在温度に復帰する前に、表示器には入切の設定温度が表示されることになる。
【００１０】
これにより、使用者は格別な操作を行うこと無く、入切の設定温度を容易に、且つ、比較的頻繁に確認することができるようになるので、支障なく入切の設定温度を管理することができるようになる。
【００１１】
また、請求項２の発明によれば、上記発明に加えて制御手段は、現在温度の表示に復帰する前に、入切の設定温度を表示器に点滅表示するので、現在温度に復帰する前の入切の設定温度の表示であることを、使用者は同様に表示器の表示の点滅によって容易に認識できるようになる。
【発明を実施するための最良の形態】
【００１２】
以下、図面に基づき本発明の実施形態を詳述する。図１は本発明を適用した温度制御装置の一実施例としてのデジタルサーモ１の正面図、図２は該デジタルサーモ１の電気回路のブロック図をそれぞれ示している。実施例のデジタルサーモ１は、プレハブ冷蔵庫の庫内温度制御を行うものであり、図１に示すような縦長のケース２内に各種制御部品を収納して構成されている。このケース２の前面上部には「−」と三桁の７セグメントＬＥＤ及び小数点表示用のＬＥＤから成る表示器３が配置されており、この表示器３に温度や時間などの数値がデジタル表示される構成とされている。
【００１３】
また、この表示器３の下側には冷却運転表示用のＬＥＤ４と警報表示用のＬＥＤ６が並設されている。更に、これらＬＥＤ４、６の下方向かって右側には、上から選択操作手段としての選択ボタン７、設定操作手段としての上下の変更ボタン８、９、及び、決定操作手段としての決定ボタン１０が上下に並べて配置されている。
【００１４】
また、これらボタン７〜１０の向かって左側には、上から入切の設定温度、高温警報温度・遅延時間、及び、低温警報温度・遅延時間（何れも本発明における設定値）の各表示部が上下に並べて配置されている。この場合、設定温度の表示部には、図示しないプレハブ冷蔵庫の冷凍機の切（ＯＦＦ）温度用の切ＬＥＤ１１と同じく冷凍機の入（ＯＮ）温度用の入ＬＥＤ１２が配置されている。また、高温警報温度の表示部には、前記プレハブ冷蔵庫の庫内温度が異常に上昇したことを警報するための高温警報温度用の高温警報温度ＬＥＤ１３と、この高温警報を発生するまでの遅延時間用の高温警報遅延ＬＥＤ１４が配置され、低温警報温度の表示部には、前記プレハブ冷蔵庫の庫内温度が異常に低下したことを警報するための低温警報温度用の低温警報温度ＬＥＤ１５と、この低温警報を発生するまでの遅延時間用の低温警報遅延ＬＥＤ１６が配置されている。
【００１５】
次に、図２において１７は制御手段を構成するマイクロコンピュータであり、このマイクロコンピュータ１７の入力には前記プレハブ冷蔵庫の庫内温度を検出するための温度センサ（サーミスタ等）１８が接続されている。この温度センサ１８はケース２から引き出されている。また、前記各ボタン７〜１０もマイクロコンピュータ１７の入力に接続されており、マイクロコンピュータ１７の出力には、前記表示器３やＬＥＤ４、６、１１〜１６の他、入切接点出力１９、高温警報接点出力２０、低温警報接点出力２１がそれぞれ接続されている。
【００１６】
各接点出力１９〜２１はケース２内に端子として設けられており、外部からリード線が引き込まれて接続される。即ち、入切接点出力１９には前記プレハブ冷蔵庫の冷凍機のコンプレッサに通電するリード線が引き込まれて接続される。また、高温警報接点出力２０には高温警報用の警報機（ブザーやランプ等）に通電するリード線が引き込まれて接続されると共に、低温警報接点出力２１には低温警報用の警報機（同様にブザーやランプ等）に通電するリード線が引き込まれて接続されることになる。
【００１７】
以上の構成で、次に係るデジタルサーモ１の動作を説明する。マイクロコンピュータ１７は、常には温度センサ１８が検出する図示しないプレハブ冷蔵庫の庫内の現在温度を表示器３に表示している。また、温度センサ１８が検出する庫内の現在温度と後述するように設定される入切の設定温度とに基づいて入切接点出力１９をＯＮ（閉路）／ＯＦＦ（開路）する。即ち、現在温度が上昇して入設定温度（例えば、１０℃等）に達したら、マイクロコンピュータ１７は入切接点出力をＯＮして前記冷凍機のコンプレッサに通電する。これにより、庫内は冷却される。また、現在温度が降下して切設定温度（例えば、６℃等）に達したら、マイクロコンピュータ１７は入切接点出力をＯＦＦしてコンプレッサへの通電を断つ。これにより、庫内に収納された物品（食品等）は平均８℃の冷蔵温度に維持されることになる。
【００１８】
また、何らかの故障或いは異常によって庫内の温度が上昇し、後述するように設定される高温警報温度（例えば、２０℃等）に達した場合には、その状態が後述するように設定される高温警報遅延時間（例えば、０分から２００分の間で設定される）継続されたとき、マイクロコンピュータ１７は高温警報接点出力２０をＯＮして前述した高温警報用の警報機に通電し、高温警報を発報する。これによって、使用者に庫内が異常高温となっていることを警告し、収納物品の腐敗を防止する。
【００１９】
また、同じく何らかの故障或いは異常によって庫内の温度が低下し、後述するように設定される低温警報温度（例えば、０℃等）に達した場合には、その状態が後述するように設定される低温警報遅延時間（例えば、０分から２００分の間で設定される）継続されたとき、マイクロコンピュータ１７は低温警報接点出力２１をＯＮして前述した低温警報用の警報機に通電し、低温警報を発報する。これによって、使用者に庫内が異常低温となっていることを警告し、収納物品の凍結を防止する。尚、マイクロコンピュータ１７はこのような警報中にＬＥＤ６を点灯させる。また、警報中に決定ボタン１０が押されたらマイクロコンピュータ１７は接点出力２０或いは２１をＯＦＦして警報を解除する。
【００２０】
次に、図３〜図８のフローチャートを用いて、前述した入切の設定温度、高温警報温度・遅延時間、及び、低温警報温度・遅延時間の各設定値の設定操作について説明する。電源投入からマイクロコンピュータ１７は図３のステップＳ１で温度センサ１８が検出するプレハブ冷蔵庫の庫内の現在温度（例えば、９℃等）を表示器３に表示する。次に、ステップＳ２で選択ボタン７が押された判断し、押されていなければステップＳ１に戻って現在温度の表示を維持する。即ち、マイクロコンピュータ１７は前述した如く常には表示器３に現在温度を表示している。尚、マイクロコンピュータ１７は通常は冷却運転中はＬＥＤ４を点灯する。
【００２１】
次に、使用者が選択ボタン７を押すと、マイクロコンピュータ１７はステップＳ２からステップＳ３に進み、表示器３の表示を、現在設定されている切設定温度（例えば、６℃）を点滅して表示する状態に切り換える。この点滅によって使用者は現在の表示が設定値であることを把握できる。また、マイクロコンピュータ１７は切ＬＥＤ１１を点灯して現在表示している設定値が切設定温度であることを告知する。この状態で変更ボタン８或いは９が押されたら、ステップＳ４、ステップＳ５、ステップＳ６へと進み、表示器３に点滅表示されている切設定温度をその操作に従って変更する。即ち、変更ボタン８が押されたら切設定温度の表示を０．５℃上げ、変更ボタン９が押されたら０．５℃下げる。
【００２２】
変更後、決定ボタン１０が押されたらマイクロコンピュータ１７はステップＳ７からステップＳ８に進み、切設定温度を変更後の設定値に変更すると共に、切ＬＥＤ１１を消灯する。次に、ステップＳ９で表示器３にＯＦＦ（即ち、切設定温度を意味する）を点滅して表示し、次に、ステップＳ１０で現在設定されている切設定温度を表示器３に点滅して表示する。次に、ステップＳ１１で表示器３にＯＮ（即ち、入設定温度を意味する）を点滅して表示し、次に、ステップＳ１２で現在設定されている入設定温度を表示器３に点滅して表示する。その後、マイクロコンピュータ１７はステップＳ１に戻って現在温度の表示に復帰する。
【００２３】
また、ステップＳ３で切設定温度を表示器３に点滅表示している状態で、ステップＳ４で再度選択ボタン７が押された場合、マイクロコンピュータ１７は図４のステップＳ１３に進み、表示器３の表示を、現在設定されている入設定温度（例えば、１０℃）を点滅して表示する状態に切り換える。この点滅によって同様に使用者は現在の表示が設定値であることを把握できる。また、マイクロコンピュータ１７は入ＬＥＤ１２を点灯して現在表示している設定値が入設定温度であることを告知する。この状態で変更ボタン８或いは９が押されたら、ステップＳ１４、ステップＳ１５、ステップＳ１６へと進み、表示器３に点滅表示されている入設定温度をその操作に従って変更する。即ち、変更ボタン８が押されたら入設定温度の表示を０．５℃上げ、変更ボタン９が押されたら０．５℃下げる。
【００２４】
変更後、決定ボタン１０が押されたらマイクロコンピュータ１７はステップＳ１７からステップＳ１８に進み、入設定温度を変更後の設定値に変更すると共に、入ＬＥＤ１２を消灯する。次に、ステップＳ１９で表示器３にＯＦＦ（即ち、切設定温度を意味する）を点滅して表示し、次に、ステップＳ２０で現在設定されている切設定温度を表示器３に点滅して表示する。次に、ステップＳ２１で表示器３にＯＮ（即ち、入設定温度を意味する）を点滅して表示し、次に、ステップＳ２２で現在設定されている入設定温度を表示器３に点滅して表示する。その後、マイクロコンピュータ１７はステップＳ１に戻って現在温度の表示に復帰する。
【００２５】
また、ステップＳ１３で入設定温度を表示器３に点滅表示している状態で、ステップＳ１４で再度選択ボタン７が押された場合、マイクロコンピュータ１７は図５のステップＳ２３に進み、表示器３の表示を、現在設定されている高温警報温度（例えば、２０℃）を点滅して表示する状態に切り換える。この点滅によって同様に使用者は現在の表示が設定値であることを把握できる。また、マイクロコンピュータ１７は高温警報温度ＬＥＤ１３を点灯して現在表示している設定値が高温警報温度であることを告知する。この状態で変更ボタン８或いは９が押されたら、ステップＳ２４、ステップＳ２５、ステップＳ２６へと進み、表示器３に点滅表示されている高温警報温度をその操作に従って変更する。即ち、変更ボタン８が押されたら高温警報温度の表示を０．５℃上げ、変更ボタン９が押されたら０．５℃下げる。
【００２６】
変更後、決定ボタン１０が押されたらマイクロコンピュータ１７はステップＳ２７からステップＳ２８に進み、高温警報温度を変更後の設定値に変更すると共に、高温警報温度ＬＥＤ１３を消灯する。次に、ステップＳ２９で表示器３にＯＦＦ（即ち、切設定温度を意味する）を点滅して表示し、次に、ステップＳ３０で現在設定されている切設定温度を表示器３に点滅して表示する。次に、ステップＳ３１で表示器３にＯＮ（即ち、入設定温度を意味する）を点滅して表示し、次に、ステップＳ３２で現在設定されている入設定温度を表示器３に点滅して表示する。その後、マイクロコンピュータ１７はステップＳ１に戻って現在温度の表示に復帰する。
【００２７】
また、ステップＳ２３で高温警報温度を表示器３に点滅表示している状態で、ステップＳ２４で再度選択ボタン７が押された場合、マイクロコンピュータ１７は図６のステップＳ３３に進み、表示器３の表示を、現在設定されている高温警報遅延時間（例えば、１０分等）を点滅して表示する状態に切り換える。この点滅によって同様に使用者は現在の表示が設定値であることを把握できる。また、マイクロコンピュータ１７は高温警報遅延ＬＥＤ１４を点灯して現在表示している設定値が高温警報遅延時間であることを告知する。この状態で変更ボタン８或いは９が押されたら、ステップＳ３４、ステップＳ３５、ステップＳ３６へと進み、表示器３に点滅表示されている高温警報遅延時間をその操作に従って変更する。即ち、変更ボタン８が押されたら高温警報遅延時間の表示を５分長くし、変更ボタン９が押されたら５分短くする。
【００２８】
変更後、決定ボタン１０が押されたらマイクロコンピュータ１７はステップＳ３７からステップＳ３８に進み、高温警報遅延時間を変更後の設定値に変更すると共に、高温警報遅延ＬＥＤ１４を消灯する。次に、ステップＳ３９で表示器３にＯＦＦ（即ち、切設定温度を意味する）を点滅して表示し、次に、ステップＳ４０で現在設定されている切設定温度を表示器３に点滅して表示する。次に、ステップＳ４１で表示器３にＯＮ（即ち、入設定温度を意味する）を点滅して表示し、次に、ステップＳ４２で現在設定されている入設定温度を表示器３に点滅して表示する。その後、マイクロコンピュータ１７はステップＳ１に戻って現在温度の表示に復帰する。
【００２９】
また、ステップＳ３３で高温警報遅延時間を表示器３に点滅表示している状態で、ステップＳ３４で再度選択ボタン７が押された場合、マイクロコンピュータ１７は図７のステップＳ４３に進み、表示器３の表示を、現在設定されている低温警報温度（例えば、０℃）を点滅して表示する状態に切り換える。この点滅によって同様に使用者は現在の表示が設定値であることを把握できる。また、マイクロコンピュータ１７は低温警報温度ＬＥＤ１５を点灯して現在表示している設定値が低温警報温度であることを告知する。この状態で変更ボタン８或いは９が押されたら、ステップＳ４４、ステップＳ４５、ステップＳ４６へと進み、表示器３に点滅表示されている低温警報温度をその操作に従って変更する。即ち、変更ボタン８が押されたら低温警報温度の表示を０．５℃上げ、変更ボタン９が押されたら０．５℃下げる。
【００３０】
変更後、決定ボタン１０が押されたらマイクロコンピュータ１７はステップＳ４７からステップＳ４８に進み、低温警報温度を変更後の設定値に変更すると共に、低温警報温度ＬＥＤ１５を消灯する。次に、ステップＳ４９で表示器３にＯＦＦ（即ち、切設定温度を意味する）を点滅して表示し、次に、ステップＳ５０で現在設定されている切設定温度を表示器３に点滅して表示する。次に、ステップＳ５１で表示器３にＯＮ（即ち、入設定温度を意味する）を点滅して表示し、次に、ステップＳ５２で現在設定されている入設定温度を表示器３に点滅して表示する。その後、マイクロコンピュータ１７はステップＳ１に戻って現在温度の表示に復帰する。
【００３１】
また、ステップＳ４３で低温警報温度を表示器３に点滅表示している状態で、ステップＳ４４で再度選択ボタン７が押された場合、マイクロコンピュータ１７は図８のステップＳ５３に進み、表示器３の表示を、現在設定されている低温警報遅延時間（例えば、１０分等）を点滅して表示する状態に切り換える。この点滅によって同様に使用者は現在の表示が設定値であることを把握できる。また、マイクロコンピュータ１７は低温警報遅延ＬＥＤ１６を点灯して現在表示している設定値が低温警報遅延時間であることを告知する。この状態で変更ボタン８或いは９が押されたら、ステップＳ５４、ステップＳ５５、ステップＳ５６へと進み、表示器３に点滅表示されている低温警報遅延時間をその操作に従って変更する。即ち、変更ボタン８が押されたら低温警報遅延時間の表示を５分長くし、変更ボタン９が押されたら５分短くする。
【００３２】
変更後、決定ボタン１０が押されたらマイクロコンピュータ１７はステップＳ５７からステップＳ５８に進み、低温警報遅延時間を変更後の設定値に変更すると共に、低温警報遅延ＬＥＤ１６を消灯する。次に、ステップＳ５９で表示器３にＯＦＦ（即ち、切設定温度を意味する）を点滅して表示し、次に、ステップＳ６０で現在設定されている切設定温度を表示器３に点滅して表示する。次に、ステップＳ６１で表示器３にＯＮ（即ち、入設定温度を意味する）を点滅して表示し、次に、ステップＳ６２で現在設定されている入設定温度を表示器３に点滅して表示する。その後、マイクロコンピュータ１７はステップＳ１に戻って現在温度の表示に復帰する。
【００３３】
このようにマイクロコンピュータ１７は、常には温度センサ１８により検出されたプレハブ冷蔵庫の庫内の現在温度を表示器３に表示しており、選択ボタン７を押していくことによって切設定温度−入設定温度−高温警報温度−高温警報遅延時間−低温警報温度−低温警報遅延時間の順で選択された各設定値を表示器３に表示する。そして、変更ボタン８、９により設定値の変更後（変更しない場合も含む）、決定ボタン１０が押された場合は、先ず、切設定温度を表示器３に表示し、次に入設定温度を表示器３にて表示した後、表示器３の表示を現在温度の表示に復帰させるので、切設定温度、入設定温度、高温警報温度、高温警報遅延時間、低温警報温度及び低温警報遅延時間の各設定値の設定を行う都度、表示器３の表示が現在温度に復帰する前に、表示器３には入切の設定温度が表示されることになり、使用者は格別な操作を行うこと無く、切設定温度及び入設定温度を容易に、且つ、比較的頻繁に確認することができるようになる。これにより、支障なく入切の設定温度を管理することができるようになる。
【００３４】
特に、マイクロコンピュータ１７は、選択ボタン７により選択された切設定温度、入設定温度、高温警報温度、高温警報遅延時間、低温警報温度或いは低温警報遅延時間の各設定値を表示器３に点滅して表示するので、現在設定値の設定を行っていることを、使用者は表示器３の表示の点滅によって容易に認識できるようになる。また、マイクロコンピュータ１７は、現在温度の表示に復帰する前に、入切の設定温度を表示器３に点滅表示するので、現在温度に復帰する前の入切の設定温度の表示であることを、使用者は同様に表示器３の表示の点滅によって容易に認識できるようになり、何れの場合も現在温度との混同を避けることができるようになる。
【００３５】
尚、上記実施例で示した入切の設定温度以外の設定値や各設定値の数値は、何れもそれに限定されるものでは無く、デジタルサーモ１を使用する対象によって適宜選択するものとする。
【図面の簡単な説明】
【００３６】
【図１】本発明を適用した実施例としてのデジタルサーモの正面図である。
【図２】図１のデジタルサーモの電気回路のブロック図である。
【図３】図１のデジタルサーモの切設定温度の設定操作を説明するフローチャートである。
【図４】図１のデジタルサーモの入設定温度の設定操作を説明するフローチャートである。
【図５】図１のデジタルサーモの高温警報温度の設定操作を説明するフローチャートである。
【図６】図１のデジタルサーモの高温警報遅延時間の設定操作を説明するフローチャートである。
【図７】図１のデジタルサーモの低温警報温度の設定操作を説明するフローチャートである。
【図８】図１のデジタルサーモの低温警報遅延時間の設定操作を説明するフローチャートである。
【符号の説明】
【００３７】
１  デジタルサーモ（温度制御装置）
３  表示器
７  選択ボタン（選択操作手段）
８、９  変更ボタン（設定操作手段）
１０  決定ボタン（決定操作手段）
１１  切ＬＥＤ
１２  入ＬＥＤ
１３  高温警報温度ＬＥＤ
１４  高温警報遅延ＬＥＤ
１５  低温警報温度ＬＥＤ
１６  低温警報遅延ＬＥＤ
１７  マイクロコンピュータ（制御手段）
１８  温度センサ
１９  入切接点出力
２０  高温警報接点出力
２１  低温警報接点出力
【図１】
2006084092.tif 000003
【図２】
2006084092.tif 000004
【図３】
2006084092.tif 000005
【図４】
2006084092.tif 000006
【図５】
2006084092.tif 000007
【図６】
2006084092.tif 000008
【図７】
2006084092.tif 000009
【図８】
2006084092.tif 000010